(57)【要約】【課題】この発明は、バックアップ時にデータ転送速度が低下して稼働率が低下し、コンピュータ・ウィルスや外部からの侵入によるデータの破壊や改ざんに対して無防備であるという課題を解決しようとするものものである。【解決手段】この発明は、ハードディスク装置１５，１６と、着脱可能な記録媒体を用いる情報記憶装置１７に対する情報の入出力を制御する情報入出力制御手段２３を有し、当該装置に入力された情報を情報入出力制御手段２３を経由してハードディスク装置１５，１６に記録し、ハードディスク装置１５，１６の一方から情報を再生して該情報を情報入出力制御手段２３を経由して当該装置から出力し、ハードディスク装置１５，１６に記録された情報を情報記憶装置１７でバックアップする時にハードディスク装置１５，１６の一方から情報記憶装置１７へ情報を転送するものである。【選択図】図１
2006330802.tif 000002
【特許請求の範囲】
【請求項１】
画像情報を入力し、該入力した画像情報を記憶し、該記憶した画像情報を出力する画像処理装置において、
２台のハードディスク装置と、
着脱可能な記録媒体を用いる情報記憶装置と、
前記２台のハードディスク装置と前記情報記憶装置に対する情報の入出力を制御する情報入出力制御手段と
を有し、
当該画像処理装置に入力された情報を前記情報入出力制御手段を経由して前記２台のハードディスク装置に記録し、前記２台のハードディスク装置の一方から情報を再生して該情報を前記情報入出力制御手段を経由して当該画像処理装置から出力し、
前記２台のハードディスク装置に記録された情報を前記情報記憶装置でバックアップする時には前記２台のハードディスク装置の一方から前記情報記憶装置へ情報を転送することを特徴とする画像処理装置。
【請求項２】
画像情報を入力し、該入力した画像情報を記憶し、該記憶した画像情報を出力する画像処理装置において、
２台のハードディスク装置と、
着脱可能な記録媒体を用いる情報記憶装置と、
前記２台のハードディスク装置と前記情報記憶装置に対する情報の入出力を制御する情報入出力制御手段と
を有する画像処理装置であって、
当該画像処理装置に入力された情報を前記情報入出力制御手段を経由して前記２台のハードディスク装置の一方に記録し、前記２台のハードディスク装置の一方から情報を再生して該情報を前記情報入出力制御手段を経由して当該画像処理装置から出力し、
当該画像処理装置に情報の入出力が無い時に前記２台のハードディスク装置の一方から前記２台のハードディスク装置の他方に情報を転送して前記２台のハードディスク装置に記録された情報を同一にし、
前記２台のハードディスク装置に記録された情報を前記情報記憶装置でバックアップする時には前記２台のハードディスク装置の一方から前記情報記憶装置へ情報を転送することを特徴とする画像処理装置。
【請求項３】
請求項１または２記載の画像処理装置であって、
前記情報記憶装置が光ディスク装置であることを特徴とする画像処理装置。
【請求項４】
請求項１または２記載の画像処理装置であって、
前記情報記憶装置がテープ装置であることを特徴とする画像処理装置。
【請求項５】
請求項１または２記載の画像処理装置であって、
前記ハードディスク装置の故障を検出する故障検出手段と、
前記故障検出手段の検出結果により前記ハードディスク装置の故障を表示する表示手段と
を有し、前記２台のハードディスク装置の一方の故障を前記故障検出手段により検出した時に、当該画像処理装置に入力された情報を前記２台のハードディスク装置の他方に記録し、前記ハードディスク装置の他方から記録した情報を再生して当該画像処理装置から出力し、前記ハードディスク装置の故障を前期表示手段により表示することを特徴とする画像処理装置。
【請求項６】
請求項５記載の画像処理装置であって、
前記故障したハードディスク装置を新規なハードディスク装置に置換えた時に、バックアップ済みの情報が記録された記録媒体の情報を情報記憶装置で再生して前記新規なハードディスク装置に記録し、当該画像処理装置に入力された情報を故障していない前記ハードディスク装置の他方に記録し、故障していない前記ハードディスク装置の他方から情報を再生して当該画像処理装置から出力し、故障していない前記ハードディスク装置の他方から前記新規なハードディスク装置へ情報を転送して故障していない前記ハードディスク装置の他方と前記新規なハードディスク装置に記録された情報を同一にすることを特徴とする画像処理装置。
【請求項７】
請求項１または２記載の画像処理装置であって、
前記情報入出力制御手段が、
前記情報記憶装置に入力する情報を暗号化する暗号化手段と、
前記情報記憶装置から出力された情報を復号化する復号化手段と
を有することを特徴とする画像処理装置。
【請求項８】
請求項１または２記載の画像処理装置であって、
前記情報入出力制御手段が、
当該画像処理装置に入力された情報を前記情報入出力制御手段が入力する時に該情報を暗号化する暗号化手段と、
当該画像処理装置から出力すべき情報を前記情報入出力制御手段が出力する時に該情報を復号化する復号化手段と
を有することを特徴とする画像処理装置。
【請求項９】
請求項１または２記載の画像処理装置であって、
前記情報入出力制御手段が、
当該画像処理装置に入力された情報を前記情報入出力制御手段が入力する時に該情報を暗号化する第１の暗号化手段と、
当該画像処理装置から出力すべき情報を前記情報入出力制御手段が出力する時に該情報を復号化する第１の復号化手段と、
前記情報記憶装置に入力する情報を暗号化する第２の暗号化手段と、
前記情報記憶装置から出力する情報を復号化する第２の復号化手段と
を有することを特徴とする画像処理装置。
【請求項１０】
２台のハードディスク装置と、着脱可能な記録媒体を用いる情報記憶装置とを有し、画像情報を入力し、該入力した画像情報を記憶し、該記憶した画像情報を出力する画像処理装置における、前記２台のハードディスク装置と前記情報記憶装置に対する情報の入出力を制御する情報入出力制御装置において、
前記画像処理装置に入力された情報を前記２台のハードディスク装置に記録させ、前記２台のハードディスク装置の一方から情報を再生させて該情報を当該画像処理装置から出力させ、
前記２台のハードディスク装置に記録された情報を前記情報記憶装置でバックアップする時には前記２台のハードディスク装置の一方から前記情報記憶装置へ情報を転送することを特徴とする画像処理装置の情報入出力制御装置。
【請求項１１】
２台のハードディスク装置と、着脱可能な記録媒体を用いる情報記憶装置とを有し、画像情報を入力し、該入力した画像情報を記憶し、該記憶した画像情報を出力する画像処理装置における、前記２台のハードディスク装置と前記情報記憶装置に対する情報の入出力を制御する情報入出力制御装置において、
前記画像処理装置に入力された情報を前記２台のハードディスク装置の一方に記録させ、前記２台のハードディスク装置の一方から情報を再生させて該情報を前記画像処理装置から出力させ、
前記画像処理装置に情報の入出力が無い時に前記２台のハードディスク装置の一方から前記２台のハードディスク装置の他方に情報を転送して前記２台のハードディスク装置に記録された情報を同一にし、
前記２台のハードディスク装置に記録された情報を前記情報記憶装置でバックアップする時には前記２台のハードディスク装置の一方から前記情報記憶装置へ情報を転送することを特徴とする画像処理装置の情報入出力制御装置。
【請求項１２】
請求項１０または１１記載の画像処理装置の情報入出力制御装置であって、
前記情報記憶装置が光ディスク装置であることを特徴とする画像処理装置の情報入出力制御装置。
【請求項１３】
請求項１０または１１記載の画像処理装置の情報入出力制御装置であって、
前記情報記憶装置がテープ装置であることを特徴とする画像処理装置の情報入出力制御装置。
【請求項１４】
請求項１０または１１記載の画像処理装置の情報入出力制御装置であって、
前記ハードディスク装置の故障を検出する故障検出手段と、
前記故障検出手段の検出結果により前記ハードディスク装置の故障を表示する表示手段と
を有し、前記２台のハードディスク装置の一方の故障を前記故障検出手段により検出した時に、前記画像処理装置に入力された情報を前記２台のハードディスク装置の他方に記録させ、前記ハードディスク装置の他方から記録した情報を再生させて前記画像処理装置から出力させ、前記ハードディスク装置の故障を前期表示手段により表示することを特徴とする画像処理装置の情報入出力制御装置。
【請求項１５】
請求項１４記載の画像処理装置の情報入出力制御装置であって、
前記故障したハードディスク装置を新規なハードディスク装置に置換えた時に、バックアップ済みの情報が記録された記録媒体の情報を前記情報記憶装置で再生させて前記新規なハードディスク装置に記録させ、前記画像処理装置に入力された情報を故障していない前記ハードディスク装置の他方に記録させ、故障していない前記ハードディスク装置の他方から情報を再生させて前記画像処理装置から出力させ、故障していない前記ハードディスク装置の他方から前記新規なハードディスク装置へ情報を転送して故障していない前記ハードディスク装置の他方に記録された情報と前記新規なハードディスク装置に記録された情報を同一にすることを特徴とする画像処理装置の情報入出力制御装置。
【請求項１６】
請求項１０または１１記載の画像処理装置の情報入出力制御装置であって、
前記情報記憶装置に入力する情報を暗号化する暗号化手段と、
前記情報記憶装置から出力された情報を復号化する復号化手段と
を有することを特徴とする画像処理装置の情報入出力制御装置。
【請求項１７】
請求項１０または１１記載の画像処理装置の情報入出力制御装置であって、
前記画像処理装置に入力された情報を入力する時に該情報を暗号化する暗号化手段と、
前記画像処理装置から出力すべき情報を出力する時に該情報を復号化する復号化手段と
を有することを特徴とする画像処理装置の情報入出力制御装置。
【請求項１８】
請求項１０または１１記載の画像処理装置の情報入出力制御装置であって、
前記画像処理装置に入力された情報を入力する時に該情報を暗号化する第１の暗号化手段と、
前記画像処理装置から出力すべき情報を出力する時に該情報を復号化する第１の復号化手段と、
前記情報記憶装置に入力する情報を暗号化する第２の暗号化手段と、
前記情報記憶装置から出力する情報を復号化する第２の復号化手段と
を有することを特徴とする画像処理装置の情報入出力制御装置。
【発明の詳細な説明】
【技術分野】
【０００１】
本発明は、ハードディスク装置に記録されたデータを着脱可能な記録媒体にバックアップできる複写機、ファクシミリ、プリンタ、スキャナ等の機能を有する複合機などの画像処理装置、及び画像処理装置の情報入出力制御装置に関する。
【背景技術】
【０００２】
特許文献１には、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）構成の複数台のハードディスク装置に対して複数台の磁気テープドライブ装置等の記憶装置を１本のデータバスで接続し、全ハードディスク装置のデータを分割して複数台の記憶装置に並行して記録することにより、バックアップを高速化かつ安全化するデータバックアップシステムが記載されている。  
特許文献２には、１台の装置内で、複数のヘッドを用いて、ディスクの情報記録面の複数の領域に同一データを書込み、情報再生時には、同一データが書込まれたディスクの情報記録面の各領域の内の１つから、これに対応する１つのヘッドでデータを読出すことにより、１台の装置でバックアップ手段を備え、データの多重化が行え、システムコストを低減できるディスク装置が記載されている。
【０００３】
【特許文献１】特開平１０−２７０７０号公報
【特許文献２】特開平５−１８１６１２号公報
【発明の開示】
【発明が解決しようとする課題】
【０００４】
特許文献１記載のデータバックアップシステムでは、ハードディスク装置と磁気テープドライブ装置とが１本のデータバスに接続されているため、ホスト計算機からハードディスク装置へのデータ入出力と、バックアップ時のハードディスク装置から磁気テープドライブ装置へのデータ転送が同時に行えないので、バックアップ時には、ホスト計算機とハードディスク装置との間のデータ転送速度が低下し、稼働率が低下する。
【０００５】
特許文献２記載のディスク装置では、１台の装置内でデータを２重化しているのみで、着脱可能な記録媒体へのバックアップ機能が無いため、例えば、コンピュータ・ウィルスや外部からの侵入によるデータの破壊や改ざんに対して無防備である。
【０００６】
本発明の目的は、ハードディスク装置の１台が故障しても稼動を続行でき、バックアップ時にも通常どおりの稼動ができる画像処理装置及び画像処理装置の情報入出力制御装置を提供することにある。  
本発明の他の目的は、バックアップデータを高速に検索できる画像処理装置及び画像処理装置の情報入出力制御装置を提供することにある。  
本発明の他の目的は、高速記録再生ができ、低価格な記録媒体を使用できる画像処理装置及び画像処理装置の情報入出力制御装置を提供することにある。
【０００７】
本発明の他の目的は、一方のハードディスク装置が故障した時に画像処理装置の稼動を続行でき、ユーザにハードディスク装置の故障を知らせることができる画像処理装置及び画像処理装置の情報入出力制御装置を提供することにある。
【０００８】
本発明の他の目的は、故障したハードディスク装置を新規なハードディスク装置に置換えた時に故障していないハードディスク装置と新規なハードディスク装置とで情報を同一にしてハードディスク装置の情報を復旧できる画像処理装置及び画像処理装置の情報入出力制御装置を提供することにある。
【０００９】
本発明の他の目的は、情報記憶装置内に暗号化手段と復号化手段を設ける必要がなく、情報記憶装置の故障時等に暗号鍵の管理を容易にできる画像処理装置及び画像処理装置の情報入出力制御装置を提供することにある。
【００１０】
本発明の他の目的は、情報記憶装置内に暗号化手段と復号化手段を設ける必要がなく、情報記憶装置の故障時等に暗号鍵の管理を容易にでき、更に、ハードディスク装置内の情報の機密も守ることができる画像処理装置及び画像処理装置の情報入出力制御装置を提供することにある。
【００１１】
本発明の他の目的は、情報記憶装置内に暗号化手段と復号化手段を設ける必要がなく、情報記憶装置の故障時等に暗号鍵の管理を容易にでき、更に、バックアップデータに２重の暗号処理を行うことで機密保持強度を高くできる画像処理装置及び画像処理装置の情報入出力制御装置を提供することにある。
【課題を解決するための手段】
【００１２】
上記目的を達成するため、請求項１に係る発明は、画像情報を入力し、該入力した画像情報を記憶し、該記憶した画像情報を出力する画像処理装置において、２台のハードディスク装置と、着脱可能な記録媒体を用いる情報記憶装置と、前記２台のハードディスク装置と前記情報記憶装置に対する情報の入出力を制御する情報入出力制御手段とを有し、当該画像処理装置に入力された情報を前記情報入出力制御手段を経由して前記２台のハードディスク装置に記録し、前記２台のハードディスク装置の一方から情報を再生して該情報を前記情報入出力制御手段を経由して当該画像処理装置から出力し、前記２台のハードディスク装置に記録された情報を前記情報記憶装置でバックアップする時には前記２台のハードディスク装置の一方から前記情報記憶装置へ情報を転送するものである。
【００１３】
請求項２に係る発明は、画像情報を入力し、該入力した画像情報を記憶し、該記憶した画像情報を出力する画像処理装置において、２台のハードディスク装置と、着脱可能な記録媒体を用いる情報記憶装置と、前記２台のハードディスク装置と前記情報記憶装置に対する情報の入出力を制御する情報入出力制御手段とを有する画像処理装置であって、当該画像処理装置に入力された情報を前記情報入出力制御手段を経由して前記２台のハードディスク装置の一方に記録し、前記２台のハードディスク装置の一方から情報を再生して該情報を前記情報入出力制御手段を経由して当該画像処理装置から出力し、当該画像処理装置に情報の入出力が無い時に前記２台のハードディスク装置の一方から前記２台のハードディスク装置の他方に情報を転送して前記２台のハードディスク装置に記録された情報を同一にし、前記２台のハードディスク装置に記録された情報を前記情報記憶装置でバックアップする時には前記２台のハードディスク装置の一方から前記情報記憶装置へ情報を転送するものである。
【００１４】
請求項３に係る発明は、請求項１または２記載の画像処理装置であって、前記情報記憶装置が光ディスク装置であるものである。
【００１５】
請求項４に係る発明は、請求項１または２記載の画像処理装置であって、前記情報記憶装置がテープ装置であるものである。
【００１６】
請求項５に係る発明は、請求項１または２記載の画像処理装置であって、前記ハードディスク装置の故障を検出する故障検出手段と、前記故障検出手段の検出結果により前記ハードディスク装置の故障を表示する表示手段とを有し、前記２台のハードディスク装置の一方の故障を前記故障検出手段により検出した時に、当該画像処理装置に入力された情報を前記２台のハードディスク装置の他方に記録し、前記ハードディスク装置の他方から記録した情報を再生して当該画像処理装置から出力し、前記ハードディスク装置の故障を前期表示手段により表示するものである。
【００１７】
請求項６に係る発明は、請求項５記載の画像処理装置であって、前記故障したハードディスク装置を新規なハードディスク装置に置換えた時に、バックアップ済みの情報が記録された記録媒体の情報を情報記憶装置で再生して前記新規なハードディスク装置に記録し、当該画像処理装置に入力された情報を故障していない前記ハードディスク装置の他方に記録し、故障していない前記ハードディスク装置の他方から情報を再生して当該画像処理装置から出力し、故障していない前記ハードディスク装置の他方から前記新規なハードディスク装置へ情報を転送して故障していない前記ハードディスク装置の他方と前記新規なハードディスク装置に記録された情報を同一にするものである。
【００１８】
請求項７に係る発明は、請求項１または２記載の画像処理装置であって、前記情報入出力制御手段が、前記情報記憶装置に入力する情報を暗号化する暗号化手段と、前記情報記憶装置から出力された情報を復号化する復号化手段とを有するものである。
【００１９】
請求項８に係る発明は、請求項１または２記載の画像処理装置であって、前記情報入出力制御手段が、当該画像処理装置に入力された情報を前記情報入出力制御手段が入力する時に該情報を暗号化する暗号化手段と、当該画像処理装置から出力すべき情報を前記情報入出力制御手段が出力する時に該情報を復号化する復号化手段とを有するものである。
【００２０】
請求項９に係る発明は、請求項１または２記載の画像処理装置であって、前記情報入出力制御手段が、当該画像処理装置に入力された情報を前記情報入出力制御手段が入力する時に該情報を暗号化する第１の暗号化手段と、当該画像処理装置から出力すべき情報を前記情報入出力制御手段が出力する時に該情報を復号化する第１の復号化手段と、前記情報記憶装置に入力する情報を暗号化する第２の暗号化手段と、前記情報記憶装置から出力する情報を復号化する第２の復号化手段とを有するものである。
【００２１】
請求項１０に係る発明は、２台のハードディスク装置と、着脱可能な記録媒体を用いる情報記憶装置とを有し、画像情報を入力し、該入力した画像情報を記憶し、該記憶した画像情報を出力する画像処理装置における、前記２台のハードディスク装置と前記情報記憶装置に対する情報の入出力を制御する情報入出力制御装置において、前記画像処理装置に入力された情報を前記２台のハードディスク装置に記録させ、前記２台のハードディスク装置の一方から情報を再生させて該情報を当該画像処理装置から出力させ、前記２台のハードディスク装置に記録された情報を前記情報記憶装置でバックアップする時には前記２台のハードディスク装置の一方から前記情報記憶装置へ情報を転送するものである。
【００２２】
請求項１１に係る発明は、２台のハードディスク装置と、着脱可能な記録媒体を用いる情報記憶装置とを有し、画像情報を入力し、該入力した画像情報を記憶し、該記憶した画像情報を出力する画像処理装置における、前記２台のハードディスク装置と前記情報記憶装置に対する情報の入出力を制御する情報入出力制御装置において、前記画像処理装置に入力された情報を前記２台のハードディスク装置の一方に記録させ、前記２台のハードディスク装置の一方から情報を再生させて該情報を前記画像処理装置から出力させ、前記画像処理装置に情報の入出力が無い時に前記２台のハードディスク装置の一方から前記２台のハードディスク装置の他方に情報を転送して前記２台のハードディスク装置に記録された情報を同一にし、前記２台のハードディスク装置に記録された情報を前記情報記憶装置でバックアップする時には前記２台のハードディスク装置の一方から前記情報記憶装置へ情報を転送するものである。
【００２３】
請求項１２に係る発明は、請求項１０または１１記載の画像処理装置の情報入出力制御装置であって、前記情報記憶装置が光ディスク装置であるものである。
【００２４】
請求項１３に係る発明は、請求項１０または１１記載の画像処理装置の情報入出力制御装置であって、前記情報記憶装置がテープ装置であるものである。
【００２５】
請求項１４に係る発明は、請求項１０または１１記載の画像処理装置の情報入出力制御装置であって、前記ハードディスク装置の故障を検出する故障検出手段と、前記故障検出手段の検出結果により前記ハードディスク装置の故障を表示する表示手段とを有し、前記２台のハードディスク装置の一方の故障を前記故障検出手段により検出した時に、前記画像処理装置に入力された情報を前記２台のハードディスク装置の他方に記録させ、前記ハードディスク装置の他方から記録した情報を再生させて前記画像処理装置から出力させ、前記ハードディスク装置の故障を前期表示手段により表示するものである。
【００２６】
請求項１５に係る発明は、請求項１４記載の画像処理装置の情報入出力制御装置であって、前記故障したハードディスク装置を新規なハードディスク装置に置換えた時に、バックアップ済みの情報が記録された記録媒体の情報を前記情報記憶装置で再生させて前記新規なハードディスク装置に記録させ、前記画像処理装置に入力された情報を故障していない前記ハードディスク装置の他方に記録させ、故障していない前記ハードディスク装置の他方から情報を再生させて前記画像処理装置から出力させ、故障していない前記ハードディスク装置の他方から前記新規なハードディスク装置へ情報を転送して故障していない前記ハードディスク装置の他方に記録された情報と前記新規なハードディスク装置に記録された情報を同一にするものである。
【００２７】
請求項１６に係る発明は、請求項１０または１１記載の画像処理装置の情報入出力制御装置であって、前記情報記憶装置に入力する情報を暗号化する暗号化手段と、前記情報記憶装置から出力された情報を復号化する復号化手段とを有するものである。
【００２８】
請求項１７に係る発明は、請求項１０または１１記載の画像処理装置の情報入出力制御装置であって、前記画像処理装置に入力された情報を入力する時に該情報を暗号化する暗号化手段と、前記画像処理装置から出力すべき情報を出力する時に該情報を復号化する復号化手段とを有するものである。
【００２９】
請求項１８に係る発明は、請求項１０または１１記載の画像処理装置の情報入出力制御装置であって、前記画像処理装置に入力された情報を入力する時に該情報を暗号化する第１の暗号化手段と、前記画像処理装置から出力すべき情報を出力する時に該情報を復号化する第１の復号化手段と、前記情報記憶装置に入力する情報を暗号化する第２の暗号化手段と、前記情報記憶装置から出力する情報を復号化する第２の復号化手段とを有するものである。
【発明の効果】
【００３０】
本発明によれば、ハードディスク装置の１台が故障しても稼動を続行でき、バックアップ時にも通常どおりの稼動ができる。  
本発明によれば、バックアップデータを高速に検索できる。  
本発明によれば、高速記録再生ができ、低価格な記録媒体を使用できる。  
本発明によれば、一方のハードディスク装置が故障した時に画像処理装置の稼動を続行でき、ユーザにハードディスク装置の故障を知らせることができる。
【００３１】
本発明によれば、故障したハードディスク装置を新規なハードディスク装置に置換えた時に故障していないハードディスク装置と新規なハードディスク装置とで情報を同一にしてハードディスク装置の情報を復旧できる。  
本発明によれば、情報記憶装置内に暗号化手段と復号化手段を設ける必要がなく、情報記憶装置の故障時等に暗号鍵の管理を容易にできる。
【００３２】
本発明によれば、情報記憶装置内に暗号化手段と復号化手段を設ける必要がなく、情報記憶装置の故障時等に暗号鍵の管理を容易にでき、更に、ハードディスク装置内の情報の機密も守ることができる。  
本発明によれば、情報記憶装置内に暗号化手段と復号化手段を設ける必要がなく、情報記憶装置の故障時等に暗号鍵の管理を容易にでき、更に、バックアップデータに２重の暗号処理を行うことで機密保持強度を高くできる。
【発明を実施するための最良の形態】
【００３３】
図１は、本発明の第１の実施例である画像処理装置を示す。この第１の実施例は、書類を光学的に読取るスキャナ１１と、画像データを紙に印刷して出力するプリンタ１２と、外部のコンピュータとネットワークで接続するためのネットワークインターフェース１３と、電話回線に接続するモデム１４と、スキャナ１１で読取ったデータ等を蓄積するハードディスク装置１５，１６と、ハードディスク装置１５またはハードディスク装置１６のデータを着脱可能な記録媒体としての光ディスクに記録再生する情報記憶装置としての光ディスク装置１７と、本画像処理装置をユーザが操作するためのボタンやタッチパネル、文字や画像を表示するための液晶表示装置からなる操作部１８と、本画像処理装置の動作を制御するためのＣＰＵ（Ｃｅｎｔｒａｌ Ｐｒｏｃｅｓｓｉｎｇ Ｕｎｉｔ）１９と、ＣＰＵ１９がアクセスするデータを一時的に蓄積するＲＡＭ（Ｒａｎｄｏｍ Ａｃｃｅｓｓ Ｍｅｍｏｒｙ）２０と、本画像処理装置の制御プログラムや固定データ等を記憶するＲＯＭ（Ｒｅａｄ Ｏｎｌｙ Ｍｅｍｏｒｙ）２１とがシステムバス２２に接続されている。これにより、本画像処理装置は、ＣＰＵ１９が本画像処理装置の各部を制御してファクシミリ、コピー機、スキャナ、プリンタ、データサーバとして機能させる。
【００３４】
例えば、ファクシミリとして機能させる場合には、操作部１８からファクシミリの宛先番号を入力し、スキャナ１１で送信原稿を読取り、その読取ったデータをシステムバス２２を経由してハードディスク装置１５，１６に保存した後、その保存したデータをシステムバス２２経由でモデム１４を介して送信することにより、ファクシミリ送信が行われる。又、電話回線を介してモデム１４で受信したファクシミリデータをシステムバス２２を経由してハードディスク装置１５，１６に保存し、その保存したデータをシステムバス２２を経由してプリンタ１２で印刷出力することにより、ファクシミリ受信が行われる。
【００３５】
又、コピー機として機能させる場合には、スキャナ１１で読取った原稿の画像データをシステムバス２２を経由してハードディスク装置１５，１６に保存し、その保存したデータを必要枚数分だけシステムバス２２を経由してプリンタ１２に繰返して出力して印刷することにより、コピー機として機能する。  
更に、コンピュータ用のスキャナとして機能させる場合には、スキャナ１１で読取った原稿の画像データをシステムバス２２を経由してハードディスク装置１５，１６に保存し、その保存したデータをシステムバス２２経由でネットワークインターフェース１３を介して外部のコンピュータからダウンロードしたり、或いは、外部のコンピュータへ電子メールとして送信したりすることにより、コンピュータ用のスキャナとして使用する。
【００３６】
又、コンピュータ用のプリンタとして機能させる場合には、外部のコンピュータからネットワークインターフェース１３を介して受信した画像や文書のデータをシステムバス２２を経由してハードディスク装置１５，１６に保存し、その保存したデータをシステムバス２２を経由してプリンタ１２へ出力することにより、コンピュータ用のプリンタとして使用する。  
更に、データサーバとして機能させる場合には、ハードディスク装置１５，１６に保存されたデータは、システムバス２２経由でネットワークインターフェース１３を介して外部の複数のコンピュータからアクセスされ、オフィス等で業務データを共有するためのデータサーバとしても使用される。  
そして、ＣＰＵ１９による本画像処理装置の各部制御により以下に述べる動作が行われる。制御ハードディスク装置１５，１６に保存されたデータは、システムバス２２を経由して光ディスク装置１７で光ディスクに記録してバックアップを行う。
【００３７】
ハードディスク装置１５，１６は、２台使用している。これは、２台のハードディスク装置１５，１６の一方が故障しても、ハードディスク装置１５，１６の他方を使用して、画像処理装置としての稼動を停止せずに続行するためである。又、ハードディスク装置１５，１６に保存されたデータを光ディスクにバックアップする時や、ハードディスク装置１５，１６の一方が故障してこれを新規なハードディスク装置に置換えた場合に光ディスクのデータを新規なハードディスク装置に戻してデータを復旧させる時にも、画像処理装置としての稼動を続行できるようにするために、情報入出力制御装置としてのデータコントローラ２３を介して、２台のハードディスク装置１５，１６と光ディスク装置１７とをシステムバス２２に接続している。データコントローラ２３は、２台のハードディスク装置１５，１６と光ディスク装置１７とシステムバス２２との各間のデータ転送の制御を行う。
【００３８】
図２は上記データコントローラ２３の内部構成を示す。一般に、システムバス２２とハードディスク装置１５，１６や光ディスク装置１７は、ＩＤＥ（Ｉｎｔｅｇｒａｔｅｄ Ｄｅｖｉｃｅ Ｅｌｅｃｔｒｏｎｉｃｓ）等のインターフェース仕様のバスで接続する。この場合、例えばスキャナ１１が出力する画像データをシステムバス２２を経由してハードディスク装置１５，１６へ入力する時には、上記バスはその画像データの転送のみに使用される。その転送と同時に、ハードディスク装置１５，１６から光ディスク装置１７へデータを転送してバックアップを行うことはできない。しかし、スキャナ１１からハードディスク装置１５，１６への画像データの入力とハードディスク装置１５，１６から光ディスク装置１７へのデータ転送との両方を並行して行うために、スキャナ１１からハードディスク装置１５，１６へのデータ転送と、ハードディスク装置１５，１６から光ディスク装置１７へのデータ転送とを時分割で行う方法がある。この方法の場合、両方のデータ転送の平均転送速度は低下し、バックアップ時は、スキャナ１１からハードディスク装置１５，１６へのデータ転送速度が低下するために、画像処理装置としての稼動率が低下するという問題がある。データコントローラ２３はこの問題を解決するためのデータ転送制御手段である。
【００３９】
データコントローラ２３は、システムバス２２とハードディスク装置１５とハードディスク装置１６と光ディスク装置１７とを相互に接続するためのインターフェース（以下I／Ｆという）２４〜２７と、セレクタ２８〜３１と、制御手段としての制御回路３２とを持つ。システムバス２２とハードディスク装置１５とハードディスク装置１６と光ディスク装置１７に使用するバスでは、入力データと出力データとを１組の信号線で共用して転送する双方向信号を使用するので、これを各I／Ｆ２４〜２７で、入力データ信号と出力データ信号とに分離する。
【００４０】
そして、各I／Ｆ２４〜２７の入力端子には、入力データを選択するセレクタ２８〜３１を接続し、各I／Ｆ２４〜２７はそれぞれ他の３つのI／Ｆからの出力データを１つ選択して入力できるようにしている。
【００４１】
セレクタ２８は、ハードディスク装置１５からＩ／Ｆ２５を介して出力されるデータと、ハードディスク装置１６からＩ／Ｆ２６を介して出力されるデータと、光ディスク装置１７からＩ／Ｆ２７を介して出力されるデータの中から１つのデータを選択して入力する。セレクタ２９は、システムバス２８からＩ／Ｆ２４を介して入力されるデータと、ハードディスク装置１６からＩ／Ｆ２６を介して出力されるデータと、光ディスク装置１７からＩ／Ｆ２７を介して出力されるデータの中から１つのデータを選択して入力する。セレクタ３０は、システムバス２８からＩ／Ｆ２４を介して入力されるデータと、ハードディスク装置１５からＩ／Ｆ２５を介して出力されるデータと、光ディスク装置１７からＩ／Ｆ２７を介して出力されるデータの中から１つのデータを選択して入力する。セレクタ３１は、システムバス２８からＩ／Ｆ２４を介して入力されるデータと、ハードディスク装置１５からＩ／Ｆ２５を介して出力されるデータと、ハードディスク装置１６からＩ／Ｆ２６を介して出力されるデータの中から１つのデータを選択して入力する。
【００４２】
データコントローラ２３は、上記構成によって、以下のデータ転送が可能になる。  
（１） Ｉ／Ｆ２４（システムバス２２）からＩ／Ｆ２５（ハードディスク装置１５）とＩ／Ｆ２６（ハードディスク装置１６）へのデータ転送。  
（２） Ｉ／Ｆ２４（システムバス２２）とＩ／Ｆ２５（ハードディスク装置１５）との間のデータ転送と、Ｉ／Ｆ２６（ハードディスク装置１６）とＩ／Ｆ２７（光ディスク装置１７）との間のデータ転送との各独立動作。  
（３） Ｉ／Ｆ２４（システムバス２２）とＩ／Ｆ２６（ハードディスク装置１６）との間のデータ転送と、Ｉ／Ｆ２５（ハードディスク装置１５）とＩ／Ｆ２７（光ディスク装置１７）との間のデータ転送との各独立動作。
（４） Ｉ／Ｆ２５（ハードディスク装置１５）とＩ／Ｆ２６（ハードディスク装置１６）との間のデータ転送。  
（５） Ｉ／Ｆ２４（システムバス２２）とＩ／Ｆ２５（ハードディスク装置１５）或いはＩ／Ｆ２６（ハードディスク装置１６）との間のデータ転送。  
（６） Ｉ／Ｆ２４（システムバス２２）とＩ／Ｆ２７（光ディスク装置１７）との間のデータ転送。
【００４３】
上記のデータ転送の設定は制御回路３２が行う。ＣＰＵ１９が出力した設定データはシステムバス２２を経由してＩ／Ｆ２４に入力され、Ｉ／Ｆ２４が制御回路３２へその設定データを出力する。制御回路３２は入力した設定データに基づいて各セレクタ２８〜３１の入力データの選択設定や各インターフェース２４〜２７間のデータ転送制御を行う。
【００４４】
以下、第１の実施例が、画像処理装置としての稼動、つまり上述のようにファクシミリ、コピー機、スキャナ、プリンタ、データサーバとしての稼動をしながら、同時にハードディスク装置１５，１６内のデータを光ディスクにバックアップする時の動作を説明する。第１の実施例の画像処理装置としての稼動は、上述のようにシステムバス２２を経由してデータコントローラ２３に入力するデータをハードディスク装置１５，１６に記録し、そのハードディスク装置に記録したデータをデータコントローラ２３経由でシステムバス２２に出力することで成り立っている。従って、以下の説明では、データコントローラ２３における、システムバス２２とハードディスク装置１５とハードディスク装置１６と光ディスク装置１７との各間のデータ転送の制御について説明する。
【００４５】
まず、画像処理装置として稼動させるために、システムバス２２からデータコントローラ２３にデータを入力した時には、その入力データをハードディスク装置１５とハードディスク装置１６の両方に記録する。これは、上記（１）のデータ転送である。そして、その記録したデータをシステムバス２２へ出力する時には、ハードディスク装置１５或いはハードディスク装置１６から出力する。これは、上記（５）のデータ転送である。このように入力したデータを２台のハードディスク装置１５，１６に記録し、その記録したデータを出力する時はハードディスク装置１５，１６の一方から出力するようにすると、２台のハードディスク装置１５，１６のどちらか１台が故障しても、故障していないハードディスク装置を使用して画像処理装置としての稼動を続行できる。
【００４６】
次に、このようにして画像処理装置としての稼動を行っている時に、ハードディスク装置内のデータを光ディスクにバックアップする時の動作を説明する。ハードディスク装置１５とハードディスク装置１６には同じデータが記録されているので、そのデータを光ディスクにバックアップする時は、ハードディスク装置１５，１６のどちらか一方のデータを光ディスク装置１７に転送すれば良い。ここでは、ハードディスク装置１６内のデータを光ディスク装置１７に転送する場合について説明する。
【００４７】
この場合は、制御回路３２がＣＰＵ１９からの設定データに基づいて上記（２）のデータ転送を設定し、システムバス２２とハードディスク装置１５との間のデータ転送と、ハードディスク装置１６と光ディスク装置１７とのデータ転送とをそれぞれ独立に行わせる。これにより、ハードディスク装置１５を使用して画像処理装置としての稼動を続行し、同時にハードディスク装置１６内のデータを光ディスク装置１７へ転送して光ディスクに記録させることでバックアップを行う。この時は、時分割処理は行わずに、両方のデータ転送を独立して同時に行えるので、データ転送速度は低下しない。従って、画像処理装置としての稼動率は低下せず、バックアップのためのデータ転送も高速に行える。これにより、バックアップ時も通常どおりの稼動ができる。
【００４８】
第１の実施例では、上述のようにハードディスク装置１６内のデータを光ディスク装置１７に転送してバックアップを行うだけでなく、ハードディスク装置１５内のデータを光ディスク装置１７に転送してバックアップを行うこともできる。この場合は、制御回路３２がＣＰＵ１９からの設定データに基づいて上記（３）のデータ転送を設定し、システムバス２２とハードディスク装置１６との間のデータ転送と、ハードディスク装置１５と光ディスク装置１７との間のデータ転送とをそれぞれ独立に動作させる。この動作は、上記の動作とはハードディスク装置１５とハードディスク装置１６とが入替るだけで同様の効果が得られる。
【００４９】
第１の実施例では、画像処理装置として稼動させるために、システムバス２２からデータコントローラ２３にデータを入力した時には、その入力データをハードディスク装置１５とハードディスク装置１６の両方に記録した。本発明の第２の実施例では、上記第１の実施例において、システムバス２２からデータコントローラ２３にデータを入力した時には、その入力データをハードディスク装置１５のみに記録し、画像処理装置としての稼動の空時間にハードディスク装置１５からハードディスク装置１６へデータを転送する。
【００５０】
つまり、制御回路３２がＣＰＵ１９からの設定データに基づいて上記（５）のデータ転送を設定して画像処理装置として稼動させ、画像処理装置として稼動していない時間に制御回路３２がＣＰＵ１９からの設定データに基づいて上記（４）のデータ転送を設定してハードディスク装置１５に記録されたデータをハードディスク装置１６へ転送してコピーし、ハードディスク装置１５とハードディスク装置１６には同じデータが記録されている状態にする。  
こうすることにより、画像処理装置としての稼動時には、システムバス２２からハードディスク装置１５へのデータ転送の時と、ハードディスク装置１５からシステムバス２２へのデータ転送の時とでデータコントローラ２３がデータ転送を切換える必要が無いので、制御を簡素化でき、データ転送処理を高速化できる。
【００５１】
上記の説明では、システムバス２２からデータコントローラ２３に入力したデータをハードディスク装置１５に記録しているが、システムバス２２からデータコントローラ２３に入力したデータをハードディスク装置１６に記録しても良い。その場合、画像処理装置としての稼動の空時間にハードディスク装置１６からハードディスク装置１５へデータを転送する。このようにしても、画像処理装置としての稼動時にハードディスク装置１５とハードディスク装置１６に同じデータが記録されている状態にできる。
【００５２】
次に、このようにして稼動している時に、ハードディスク装置内のデータを光ディスクにバックアップする時の動作を説明する。ハードディスク装置１５とハードディスク装置１６には同じデータが記録されているので、そのデータを光ディスクにバックアップする時は、ハードディスク装置１５，１６のどちらか一方のデータを光ディスク装置１７に転送してバックアップすれば良い。ここでは、ハードディスク装置１６内のデータを光ディスク装置１７に転送してバックアップする場合について説明する。
【００５３】
この場合は、制御回路３２がＣＰＵ１９からの設定データに基づいて上記（２）のデータ転送を設定し、システムバス２２とハードディスク装置１５との間のデータ転送と、ハードディスク装置１６と光ディスク装置１７との間のデータ転送とをそれぞれ独立に行わせる。これにより、ハードディスク装置１５を使用して画像処理装置としての稼動を続行し、同時にハードディスク装置１６のデータを光ディスク装置１７へ転送して光ディスクにバックアップを行う。この時、時分割処理は行わずに、両方のデータ転送を独立して同時に行えるので、データ転送速度は低下しない。従って、画像処理装置としての稼動率は低下せず、バックアップのためのデータ転送も高速に行える。これにより、バックアップ時も通常どおりの稼動ができる。
【００５４】
第２の実施例では、上記のようにハードディスク装置１６内のデータを光ディスク装置１７に転送して光ディスクにバックアップするだけでなく、ハードディスク装置１５内のデータを光ディスク装置１７に転送して光ディスクにバックアップすることもできる。この場合は、制御回路３２がＣＰＵ１９からの設定データに基づいて上記（３）のデータ転送を設定し、システムバス２２とハードディスク装置１６との間のデータ転送と、ハードディスク装置１５と光ディスク装置１７との間のデータ転送とをそれぞれ独立に動作させる。この動作では、上記の動作時とはハードディスク装置１５とハードディスク装置１６とが入替るだけで同様の効果が得られる。
【００５５】
第１の実施例及び第２の実施例では、バックアップ装置として光ディスク装置１７を使用しているので、例えば、バックアップデータから所定のデータを検索したい場合は、制御回路３２がＣＰＵ１９からの設定データに基づいて上記（６）のデータ転送を設定し、ＣＰＵ１９が直接に光ディスク装置１７内の光ディスクをアクセスし、高速のデータ検索を行う。
【００５６】
又、第１の実施例及び第２の実施例において、バックアップ装置として、光ディスク装置１７の代りに、データの記録再生を記録媒体としてのテープに行うテープ装置を使用しても良い。これにより、高速のデータ記録再生が行え、更にバックアップ用の記録媒体として低価格な記録媒体を使用できる。
【００５７】
次に、第１の実施例及び第２の実施例において、ハードディスク装置１５とハードディスク装置１６のどちらか一方が故障した時の動作を説明する。ハードディスク装置からデータを出力する時に、データエラーが発生すると、ハードディスク装置の故障であると判断できる。従って、ハードディスク装置の故障を検出する故障検出手段として、ハードディスク装置１５，１６からデータを出力する時にデータエラーの発生を検出するコンピュータプログラムをＲＯＭ２１に格納しておき、これをＣＰＵ１９が実行することにより、ハードディスク装置１５，１６の故障を検出する。ＣＰＵ１９は、このプログラムにより、ハードディスク装置１５，１６の故障を検出したら、操作部１８にある液晶表示装置に例えば「ハードディスク１５が故障しました。」という文字を表示させる。ＣＰＵ１９は、これと同時に、ネットワークインターフェース１３を経由して、この画像処理装置の管理者や修理を行うサービス会社等に、ハードディスク装置の故障を知らせる電子メールを送信しても良い。このようにして、ハードディスク装置の故障を表示する。
【００５８】
次に、ハードディスク装置１５，１６のどちらか一方が故障した時にも、画像処理装置としての稼動を続行させる動作を以下に説明する。上記コンピュータプログラムにより、例えば、ハードディスク装置１５の故障を検出した場合の動作を述べる。この場合、データコントローラ２３は、ＣＰＵ１９からの設定データにより、システムバス２２とハードディスク装置１６との間のデータ転送ができるように各セレクタ２８〜３１を設定する。つまり、上記（５）のデータ転送を設定する。そして、故障したハードディスク装置１５を使用せずに、ハードディスク装置１６を使用して、画像処理装置としての稼動を続行する。
【００５９】
上記の説明では、ハードディスク装置１５が故障した場合について説明したが、ハードディスク装置１６が故障した場合には、故障していないハードディスク装置１５を使用して画像処理装置としての稼動を続行する。このとき、データコントローラ２３は、ＣＰＵ１９からの設定データにより、システムバス２２とハードディスク装置１５との間のデータ転送（上記（５）のデータ転送）ができるように各セレクタ２８〜３１を設定する。この場合は、ハードディスク装置１５が故障した場合に比べて、ハードディスク装置１５とハードディスク装置１６とが入替るだけで同様の効果が得られる。
【００６０】
次に、故障したハードディスク装置を新規なハードディスク装置に置換えた時の動作を説明する。新規なハードディスク装置には、画像処理装置としての稼動によるデータが何も記録されていないので、光ディスクに記録済みのバックアップデータを光ディスク装置１７で再生し、そのバックアップデータを新規なハードディスク装置に記録する。この時、画像処理装置としての稼動を続行できるように、故障していない他方のハードディスク装置とシステムバスとの間のデータ転送も独立して同時に行う。例えば、新規なハードディスク装置がハードディスク装置１５であり、故障していない他方のハードディスク装置がハードディスク装置１６である場合の動作を以下に説明する。
【００６１】
この場合は、データコントローラは、ＣＰＵ１９からの設定データに基づいて上記（３）のデータ転送を設定する。これにより、システムバス２２とハードディスク装置１６との間のデータ転送と、ハードディスク装置１５と光ディスク装置１７との間のデータ転送とがそれぞれ独立して同時に行われる。従って、ハードディスク装置１６を使用して画像処理装置としての稼動が続行され、同時に新規なハードディスク装置１５へ光ディスク装置１７からバックアップデータが転送される。このようにして、まず、新規なハードディスク装置１５にバックアップデータが記録される。
【００６２】
新規なハードディスク装置１５へバックアップデータを記録している間にも、ハードディスク装置１６を使用して画像処理装置としての稼動を続行しているので、ハードディスク装置１６には、新規なハードディスク装置１５に記録されていない新規なデータが記録される。そこで、新規なハードディスク装置１５へのバックアップデータの記録が終了した後、ハードディスク装置１６の上記新規なデータを新規なハードディスク装置１５に追加記録する。
【００６３】
このために、データコントローラは、ＣＰＵ１９からの設定データに基づいて上記（４）のデータ転送を設定する。これにより、ハードディスク装置１６とハードディスク装置１５との間のデータ転送が行われ、ハードディスク装置１６の新規なデータが新規なハードディスク装置１５に追加記録される。この動作は、画像処理装置としての稼動の空時間に行う。このようにして、新規なハードディスク装置１５とハードディスク装置１６に記録された情報を同一にする。この後は、第１の実施例、第２の実施例が前記動作を行う。
【００６４】
以上の動作により、新規なハードディスク装置にデータを復旧させる時にも、画像処理装置としての稼動を続行できる。なお、上記説明では、新規なハードディスク装置がハードディスク装置１５であり、他方のハードディスク装置がハードディスク装置１６である場合の動作を説明したが、新規なハードディスク装置がハードディスク装置１６であり、他方のハードディスク装置がハードディスク装置１５である場合も同様の効果が得られる。
【００６５】
この場合は、まず、データコントローラ２３がＣＰＵ１９からの設定データに基づいて上記（２）のデータ転送を設定する。これにより、システムバス２２とハードディスク装置１５との間のデータ転送と、ハードディスク装置１６と光ディスク装置１７との間のデータ転送とがそれぞれ独立して同時に行える。従って、ハードディスク装置１５を使用して画像処理装置としての稼動を続行し、同時に新規なハードディスク装置１６へ光ディスク装置１７からバックアップデータを転送する。このようにして、まず、新規なハードディスク装置１６にバックアップデータを記録する。
【００６６】
次に、新規なハードディスク装置１６へバックアップデータを記録している間にハードディスク装置１５に記録された画像処理装置としての稼動による新規なデータがハードディスク装置１６に追加記録される。そのために、データコントローラ２３がＣＰＵ１９からの設定データに基づいて上記（４）のデータ転送を設定する。これにより、ハードディスク装置１６とハードディスク装置１５との間のデータ転送が行え、ハードディスク装置１５の上記新規なデータが新規なハードディスク装置１６に追加記録される。この動作は、画像処理装置としての稼動の空時間に行う。このようにして、新規なハードディスク装置１６とハードディスク装置１５に記録された情報を同一にする。この後は、第１の実施例或いは第２の実施例が前記動作を行う。
【００６７】
上記第１の実施例及び第２の実施例では、システムバス２２経由でデータコントローラ２３に入力したデータを、そのままハードディスク装置１５，１６や光ディスク装置１７に記録していたが、図３は上記第１の実施例又は上記第２の実施例において、データコントローラ２３に暗号機能を付加した本発明の第３の実施例を示す。この第３の実施例は、データコントローラ２３に対して、セレクタ３１から入力するデータを暗号化してＩ／Ｆ２７を介して光ディスク装置１７へ出力する暗号化手段としての暗号化回路３３と、光ディスク装置１７からＩ／Ｆ２７を介して出力されたデータ（暗号化されたデータ）を元に戻して（復号化して）セレクタ２８〜３０へ出力する復号化手段としての復号化回路３４を追加したものである。ここで用いる暗号方式は、公知の米国標準暗号方式であるＡＥＳ（Ａｄｖａｎｃｅｄ Ｅｎｃｒｙｐｔｉｏｎ Ｓｔａｎｄａｒｄ）などを使用すると良い。
【００６８】
こうするにより、セレクタ３１から入力されてＩ／Ｆ２７を介して光ディスク装置１７により光ディスクに記録されるバックアップデータは暗号化回路３３により暗号化されるので、光ディスクのデータは、関係者以外の人間には容易に閲覧できなくなり、バックアップデータの機密を守れる。更に、暗号化回路３３及び復号化回路３４を光ディスク装置１７に内蔵していないので、光ディスク装置１７には暗号機能の無い通常の光ディスク装置を使用できる。従って、暗号鍵の管理は、画像処理装置のコンピュータプログラムで行えるので、光ディスク装置１７の故障時等に暗号鍵の管理が不要になり、暗号鍵の管理を容易にできる。
【００６９】
図４は、本発明の第４の実施例を示す。この第４の実施例は、上記第１の実施例又は上記第２の実施例において、データコントローラ２３に対して、システムバス２２からＩ／Ｆ２４を介して入力したデータを暗号化してセレクタ２９〜３１及びＩ／Ｆ２５〜２７を介してハードディスク装置１５，１６及び光ディスク装置１７へ出力する暗号化手段としての暗号化回路３５と、システムバス２２へデータを出力する時にセレクタ２８からの暗号化されたデータを復号化してＩ／Ｆ２４を介してシステムバス２２へ出力する復号化手段としての復号化回路３６を追加したものである。
【００７０】
こうすることにより、システムバス２２からＩ／Ｆ２４を介して入力したデータを暗号化回路３５で暗号化してセレクタ２９、３０及びＩ／Ｆ２５、２６を介してハードディスク装置１５，１６に記録し、更に、ハードディスク装置１５，１６から暗号化されたデータを出力してそのデータをＩ／Ｆ２５，２６及びセレクタ３１、Ｉ／Ｆ２７を介して光ディスク装置１７に記録するので、ハードディスク装置１５，１６と光ディスク装置１７に記録されたデータは暗号化されている。従って、光ディスクに記録されたデータの機密のみならず、ハードディスク装置１７に記録されたデータの機密を守れる。例えば、本画像処理装置から、ハードディスク装置１５，１６を取外して、他のコンピュータシステムに接続し、ハードディスク装置１５，１６内部のデータを閲覧しようとしても、そのデータは暗号化されているので、容易には閲覧できない。従って、第３の実施例に対して、更にハードディスク装置１５，１６内の情報の機密も守れるという効果がある。
【００７１】
図５は、本発明の第５の実施例を示す。この第５の実施例では、上記第１の実施例又は上記第２の実施例において、データコントローラ２３に対して、セレクタ３１から入力するデータを暗号化してＩ／Ｆ２７を介して光ディスク装置１７へ出力する暗号化手段としての暗号化回路３３と、光ディスク装置１７からＩ／Ｆ２７を介して出力されたデータ（暗号化されたデータ）を元に戻して（復号化して）セレクタ２８〜３０へ出力する復号化手段としての復号化回路３４と、システムバス２２からＩ／Ｆ２４を介して入力したデータを暗号化してセレクタ２９〜３１及びＩ／Ｆ２５〜２７を介してハードディスク装置１５，１６及び光ディスク装置１７へ出力する暗号化手段としての暗号化回路３５と、システムバス２２へデータを出力する時にセレクタ２８からの暗号化されたデータを復号化してＩ／Ｆ２４を介してシステムバス２２へ出力する復号化手段としての復号化回路３６とを追加したものである。
【００７２】
こうすることにより、システムバス２２からＩ／Ｆ２４を介して入力したデータを暗号化回路３５で暗号化してセレクタ２９、３０及びＩ／Ｆ２５、２６を介してハードディスク装置１５，１６に記録し、ハードディスク装置１５，１６からＩ／Ｆ２５、２６を介して出力されたデータ（暗号化されたデータ）をセレクタ３１を経由して暗号化回路３４で更に暗号化してＩ／Ｆ２７を経由して光ディスク装置１７に記録するので、光ディスク装置１７で光ディスクに記録されたデータは２重に暗号化されている。従って、第５の実施例では、第３の実施例および第４の実施例に対して、更にバックアップデータに２重の暗号処理が行われることで、機密保持強度をより高くできるという効果がある。
【００７３】
以上のように、上記第１の実施例では、２台のハードディスク装置１５，１６と、着脱可能な記録媒体を用いる情報記憶装置としての光ディスク装置１７とを有し、本画像処理装置に入力された情報を２台のハードディスク装置１５，１６に記録して情報を２重化しているので、ハードディスク装置１５，１６のうちの１台が故障しても稼動を続行でき、バックアップ時は一方のハードディスク装置から情報記憶装置１７へ情報を転送することにより、バックアップ時にも、他方のハードディスク装置を使用して通常どおりの稼動ができる。
【００７４】
上記第２の実施例では、２台のハードディスク装置１５，１６と、着脱可能な記録媒体を用いる情報記憶装置としての光ディスク装置１７とを有し、本画像処理装置に入力された情報をハードディスク装置１５，１６の一方に記録し、本画像処理装置の稼動の空時間に、ハードディスク装置１５，１６の一方からハードディスク装置１５，１６の他方に情報を転送して情報を２重化することで、ハードディスク装置１５，１６のうちの１台が故障しても稼動を続行でき、バックアップ時は一方のハードディスク装置から情報記憶装置１７へ情報を転送することにより、バックアップ時にも他方のハードディスク装置を使用して通常どおりの稼動ができる。
【００７５】
上記第１の実施例、上記第２の実施例では、情報記憶装置１７が光ディスク装置であることにより、バックアップデータを高速に検索できる。  
上記第１の実施例、上記第２の実施例では、情報記憶装置１７をテープ装置とすることにより、高速な記録再生ができ、低価格な記録媒体を使用できる。
【００７６】
上記第１の実施例、上記第２の実施例では、一方のハードディスク装置の故障を検出した時に、他方のハードディスク装置を使用して本画像処理装置の稼動を続行でき、ユーザにハードディスク故障の故障を知らせることができる。また、故障したハードディスク装置を新規なハードディスクに置換えた時に、故障していないハードディスク装置を使用して画像処理装置の稼動を続行しながら、バックアップ済みの情報が記録された記録媒体の情報を情報記憶装置１７で再生して新規なハードディスク装置に記録し、故障していないハードディスク装置から新規なハードディスク装置へ情報を転送して、故障していないハードディスク装置に記録された情報と新規なハードディスク装置に記録された情報を同一にし、ハードディスク装置の情報を復旧することができる。
【００７７】
上記第１の実施例、上記第２の実施例では、ハードディスク装置に記録された情報を情報記憶装置１７でバックアップする時に情報を暗号化してから情報記憶装置に入力することにより、情報記憶装置１７内に暗号化手段と復号化手段を設ける必要がなくなるので、情報記憶装置１７の故障時等に暗号鍵の管理を容易にできる。
【００７８】
上記第１の実施例、上記第２の実施例では、本画像処理装置に入力された情報を暗号化することで、ハードディスク装置１５，１６に記録する情報を暗号化し、情報記憶装置１７でバックアップする時にも暗号化された情報を情報記憶装置１７に入力して記録媒体に記録することにより、情報記憶装置１７内に暗号化手段と復号化手段を設ける必要がなくなるので、情報記憶装置１７の故障時等に暗号鍵の管理を容易にでき、更に、ハードディスク装置内の情報の機密も守ることができる。
【００７９】
上記第１の実施例、上記第２の実施例では、本画像処理装置に入力された情報を暗号化することで、ハードディスク装置１５，１６に記録する情報を暗号化し、更に情報記憶装置１７でバックアップする時にも情報を暗号化して情報記憶装置１７に入力して記録媒体に記録することにより、情報記憶装置１７内に暗号化手段と復号化手段を設ける必要がなくなるので、情報記憶装置１７の故障時等に暗号鍵の管理を容易にでき、更に、バックアップデータに２重の暗号処理を行うことで、機密保持強度を高くすることができる。
【図面の簡単な説明】
【００８０】
【図１】本発明の第１の実施例である画像処理装置を示すブロック図である。
【図２】同第１の実施例におけるデータコントローラの内部構成を示すブロック図である。
【図３】本発明の第３の実施例におけるデータコントローラの内部構成を示すブロック図である。
【図４】本発明の第４の実施例におけるデータコントローラの内部構成を示すブロック図である。
【図５】本発明の第５の実施例におけるデータコントローラの内部構成を示すブロック図である。
【符号の説明】
【００８１】
１１      スキャナ
１２      プリンタ
１３      ネットワークインターフェース
１４      モデム
１５、１６      ハードディスク装置
１７      光ディスク装置
１８      操作部
１９      ＣＰＵ
２０      ＲＡＭ
２１      ＲＯＭ
２２      システムバス
２３      データコントローラ
２４〜２７      I／Ｆ
２８〜３１      セレクタ
３２      制御回路
３３、３５      暗号化回路
３４、３６      復号化回路
【図１】
2006330802.tif 000003
【図２】
2006330802.tif 000004
【図３】
2006330802.tif 000005
【図４】
2006330802.tif 000006
【図５】
2006330802.tif 000007